(57)【特許請求の範囲】
【請求項１】
自動取引装置内のユニットを左右のスライドレールにより支持して引き出し可能なスライドレール構造を有する自動取引装置において、
前記左右のスライドレールは同一形状のスライドレールで、自動取引装置本体側の一方側面にＬ字曲げ部が設けられ、
自動取引装置本体の側面に前記Ｌ字曲げ部を挿入して引っ掛ける取付け孔を有することを特徴とする自動取引装置。
【請求項２】
前記Ｌ字曲げ部は、前記スライドレールの伸縮方向に向かって伸びる該スライドレールの中心線に沿って線対称の位置に形成したことを特徴とする請求項１に記載の自動取引装置。
【請求項３】
前記Ｌ字曲げ部および取付け孔は、前記自動取引装置本体の前面側または背面側に切り欠き部を有するようにしたことを特徴とする請求項１または２に記載の自動取引装置。
【請求項４】
前記Ｌ字曲げ部は、当該Ｌ字曲げ部を前記取付け孔の切り欠き部に引っ掛ける前記Ｌ字曲げ部の切り欠き部の先端にテーパ部を設けるようにしたことを特徴とする請求項３に記載の自動取引装置。
【発明の詳細な説明】
【技術分野】
【０００１】
本発明は、自動取引装置本体内のユニットをスライドレールにより支持して引き出し可能なスライドレール構造を有する自動取引装置に関するものである。
【背景技術】
【０００２】
一般に、金融機関等に設置される現金自動預払機や、駅や空港などに設置される自動券売機などの自動取引装置では、搭載しているユニットの保守または媒体のセットなどを行うために、当該ユニットを、スライドレールを使って装置本体の背面側から引き出せるようになっている。
【０００３】
例えば、図１０に示したように、スライドレール５４を、２本を一組として左右に配置し、ネジ１１を使用して装置本体２およびユニット３に固定し、矢印Ａ方向に装置本体２からユニット３を引き出したり、収納できるようになっている（例えば、特許文献１参照）。なお、同図においては、右上側が装置前面側であり、左下側が装置背面側となっている。
【０００４】
また、図１１（ａ）に示すスライドレールでは、スライドレール６４の装置前面側の一方側面を加工して設けたフック６１を、装置本体の側面側に設けた取付け孔６２ａ、６２ｂに挿入することで仮固定するスライドレールがある。さらに図１１（ｂ）は、スライドレール７４の装置前面側の一方側面に溶接等によりカシメピン７１を取り付け、装置本体の側面側に設けた取付け孔７２ａ、７２ｂに挿入し、装置背面側にスライドレール７４を移動させることで仮固定するスライドレールである。なお、同図においては、左上側が装置前面側であり、右下側が装置背面側となっている。
【先行技術文献】
【特許文献】
【０００５】
【特許文献１】特開平１１−３２８４７９号公報
【発明の概要】
【発明が解決しようとする課題】
【０００６】
上記図１０に示した従来のスライドレール構造では、スライドレール５４を取り付けるときに、装置本体２の内側に手や体を入れて窮屈な姿勢でスライドレール５４を保持しながら取り付けを行わなければならないため、作業がしにくく、スライドレール５４を落下させて毀損させてしまう場合があった。
また、図１１に示したスライドレール６４及び７４の場合、スライドレール６４では２本一組とした場合に、フック６１の構造上左右で同一のスライドレールを用いることができないため、左用、右用の２種類のスライドレールを用意する必要があり、コストがかかるという問題があった。スライドレール７４の場合、スライドレール７４とは別部材となるカシメピン７１を用意し、取り付ける必要があるため、スライドレール６４同様コストがかかるという問題があった。
【課題を解決するための手段】
【０００７】
本発明は、前述の課題を解決するため次の構成を採用する。すなわち、自動取引装置内のユニットを左右のスライドレールにより支持して引き出し可能なスライドレール構造を有する自動取引装置において、前記左右のスライドレールは同一形状のスライドレールで、自動取引装置本体側の一方側面にＬ字曲げ部が設けられ、自動取引装置本体の側面に前記Ｌ字曲げ部を挿入して引っ掛ける取付け孔を有するようにした。
【発明の効果】
【０００８】
本発明の自動取引装置によれば、自動取引装置内のユニットを左右のスライドレールにより支持して引き出し可能なスライドレール構造を有する自動取引装置において、前記左右のスライドレールは同一形状のスライドレールで、自動取引装置本体側の一方側面にＬ字曲げ部が設けられ、自動取引装置本体の側面に前記Ｌ字曲げ部を挿入して引っ掛ける取付け孔を有するようにしたので、装置本体にスライドレールを取り付ける際に装置本体内にスライドレールを仮固定する際に手や体を入れて行う必要がなく、作業がし易く、スライドレールを落下させて毀損させるおそれもない。また、Ｌ字曲げ部をスライドレールの中心線に沿って設けることにより、別部材を用意することなく左右で用いるスライドレールの共通化ができるため、コストを削減することができる。
【図面の簡単な説明】
【０００９】
【図１】実施例１のスライドレール構造の構成図である。
【図２】実施例１のスライドレール構造の側面図である。
【図３】実施例１のスライドレール構造の動作説明図である。
【図４】実施例１のスライドレールを装置本体に取り付けたことを示す構成図である。
【図５】実施例１のスライドレールを装置背面から見て右側に取り付ける場合を示す構成図である。
【図６】実施例２のスライドレール構造の構成図である。
【図７】実施例２のスライドレール構造の動作説明図である。
【図８】変形例のスライドレール構造の構成図である。
【図９】変形例のスライドレール構造のＬ字曲げ部の上面図である。
【図１０】従来のスライドレール構造の構成および動作説明図である。
【図１１】従来のスライドレール構造の一例示す構成図である。
【発明を実施するための形態】
【００１０】
以下、本発明に係わる実施の形態例を、図面を用いて説明する。なお、図面に共通する要素には同一の符号を付す。
【実施例１】
【００１１】
（構成）
図１（ａ）は実施例１のスライドレール４の全体構成図であり、図１（ｂ）は  図１（ａ）破線部のａ部拡大図である。同図に示したように、実施例１のスライドレール４は、スライドレール４の装置前面側の一方側面に、図１（ｂ）斜線部のＵ字打抜き部４ｅのように打ち抜いてＬ字曲げ加工により形成したＬ字曲げ部４ａ、４ｂと、装置本体２とスライドレール４とをネジ１１により固定するためのネジ孔１１ａを具備し、装置本体２の背面側の一方側面にユニット３とスライドレール４とを固定するためのネジ孔１１ｂを設けた構成となっている。Ｌ字曲げ部４ａ、４ｂには、装置背面側に切り欠き部４ｃ、４ｄが設けられている。
【００１２】
図２は、スライドレール４の側面図である。同図に示したように、Ｌ字曲げ部４ａ、４ｂ、及びネジ孔１１ａ、１１ｂが、スライドレール４の中心線ＣＬに沿うように設けられている。
【００１３】
一方、装置本体２側には、後述の図３のように、当該側面に、打抜いて形成する取付け孔２ａ、２ｂ及びスライドレール４と装置本体２とを固定するためのネジ孔１１ｃを備える。取付け孔２ａ、２ｂには、装置背面側に切り欠き部２ｃ、２ｄが設けられている。なお、図示していないが、取付け孔２ａ、２ｂを設けた面と対向する面にも、スライドレール４を装置本体２に取り付けるために取付け孔２ａ、２ｂ及びネジ孔１１ｃと同様の取付け孔及びネジ孔が設けられている。
【００１４】
（動作）
以上の構成により実施例１のスライドレール構造は以下のように動作する。この動作、すなわち、スライドレール４を装置本体２へ固定する手順を図３の動作説明図を用いて以下詳細に説明する。なお、同図において、左上側が装置前面側であり、右下側が装置背面側となっている。
【００１５】
まず、矢印Ｂのようにスライドレール４を装置本体２の中に移動させ、次に、矢印ＣのようにＬ字曲げ部４ａ、４ｂを装置本体２に設けた取付け孔２ａ、２ｂに挿入し、矢印ＤのようにＬ字曲げ部４ａ、４ｂが取付け孔２ａ、２ｂの下端に当接するまで移動させ、さらに、矢印Ｅのように引っ張り、Ｌ字曲げ部４ａ、４ｂの切り欠き部４ｃ、４ｄを取付け孔２ａ、２ｂの切り欠き部２ｃ、２ｄに引っ掛けてスライドレール４と装置本体２とを仮固定する。このときの仮固定した状態を、図４の構成図に示す。
【００１６】
上述した動作によりスライドレール４と装置本体２とを仮固定したとき、ネジ孔１１ａとネジ孔１１ｃとがそれぞれ重なる状態となる。この仮固定をした状態で、ネジ１１によりスライドレール４と装置本体２とを固定する。これにより、装置背面側から見て左側のスライドレール４と装置本体２との固定が完了となる。
【００１７】
続いて、装置背面側から見て右側のスライドレール４と装置本体２との固定について、図５を用いて説明する。
図５のスライドレール４は、装置背面側から見て右側に取り付ける場合を示した図である。スライドレール４は図１及び図２で示したとおり、Ｌ字曲げ部４ａ、４ｂとネジ孔１１ａ、１１ｂがスライドレールの中心線ＣＬに沿うように設けられているため、前述した取付け孔２ａ、２ｂを設けた面と対向する面に設けられた取付け孔に、Ｌ字曲げ部４ａ、４ｂを挿入することができるようになっている。
取り付けるための動作については、図４及び図５を用いて説明した動作と同様であるため、詳細な説明は省略する。
【００１８】
左右のスライドレール４の固定が完了した後、図３に示すスライドレール４の装置背面側のネジ孔１１ｂを用いて、スライドレール４とユニット３をネジ１１にて固定する。
【００１９】
以上のように、Ｌ字曲げ部４ａ、４ｂを取付け孔２ａ、２ｂに挿入して引っ掛けるだけでスライドレール４を装置本体２に仮固定ができるため、スライドレール４を装置本体２に固定する際に、装置本体２内部に手を入れてスライドレール４を保持する必要もなく、組立易く、スライドレール４を落下させることもない。
【００２０】
なお、以上の実施例の説明では、スライドレール４の装置背面側は、ネジ止めにて固定するように説明したが、装置前面側のＬ字曲げ部４ａ、４ｂとは反対側となる内側にＬ字曲げして形成したＬ字曲げ部を設け、ユニット３側にも取付け孔を設けて仮固定するようにしてもよい。また、Ｌ字曲げ部４ａ、４ｂは、打ち抜いて曲げ加工して形成するように説明したが、溶接等により溶着させるようにしてもよい。
【００２１】
また、実施例ではネジ孔１１ａ及び１１ｃをスライドレールの中心線ＣＬに沿うように設けることとして説明したが、本発明はこれに限定されず、L字曲げ部４ａ、４ｂを取付け孔２ａ、２ｂに挿入して引っ掛け、スライドレール４を仮固定した際に、スライドレール４及び装置本体２に設けたネジ孔が重なる位置であればよいため、ネジ孔を設ける位置や個数は適宜変更してもよい。
また、スライドレール４を装置本体２に固定する手段としてネジ１１を用いることとしたが、ネジでなくともよく、スライドレール４を装置本体２に固定する手段は従来周知の技術を用いて行うものとすればよい。
【００２２】
（実施例１の効果）
以上のように実施例１のスライドレール構造によれば、スライドレールの装置本体側の一方側面に、Ｕ字型に打ち抜いてＬ字曲げ加工により形成した装置背面側に折りかけ部を備えたＬ字曲げ部を設け、前記装置本体の側面に前記Ｌ字曲げ部を挿入して引っ掛ける装置背面側に折りかけ部を備えた取付け孔を設けるようにしたので、装置本体にスライドレールを取り付ける際に装置本体内に手や体を入れてスライドレールを保持する必要がなく、作業がし易く、スライドレールを落下させて毀損させるおそれもない。
【００２３】
また、L字曲げ部４ａ、４ｂをスライドレール４の中心線CLに沿うように設けたことで、装置本体２の左右にスライドレール４を取り付ける際、左右どちらにも取り付け可能となるため、左右で別形状のスライドレールを用いる必要がなくなり、部品に要するコストを削減することができる。
【００２４】
また、Ｌ字曲げ部を、スライドレールの一方側面をＵ字型に打ち抜いてＬ字曲げ加工により形成できるようにしたので、部品点数を少なくできる効果もある。
【実施例２】
【００２５】
（構成）
図６（ａ）は実施例２のスライドレール１４の構成図であり、図６（ｂ）は図６（ａ）破線部のａ部拡大図である。同図に示したように、実施例２のスライドレール１４は、装置本体２への取り付けをさらに容易に行えるように、実施例１のスライドレール４のＬ字曲げ部４ａ、４ｂとは矢印Ａ方向に反対のＬ字曲げ部１４ａ、１４ｂを備えている。
【００２６】
すなわち、実施例２のスライドレール１４は、スライドレール１４の装置本体２側の一方側面を図６（ｂ）斜線部のＵ字打抜き部１４ｅのように打ち抜いてＬ字曲げ加工により形成したＬ字曲げ部１４ａ、１４ｂと、装置本体２とスライドレール４とをネジ１１により固定するためのネジ孔１１ａを具備し、装置本体２の背面側の一方側面にユニット３とスライドレールとを固定するためのネジ孔１１ｂを設けた構成となっている。Ｌ字曲げ部１４ａ、１４ｂには、装置前面側に切り欠き部１４ｃ、１４ｄが設けられている。
【００２７】
なお、図６、装置背面側から見て左側に取り付ける場合のスライドレール１４の向きであり、右側に取り付けるスライドレール１４の場合は、図示していないが、実施例１同様、スライドレール１４を図５に示したように、装置背面側から見て左側に取り付けたスライドレール１４と同一形状のものを用い、取り付ける向きを変えればよい。
【００２８】
一方、装置本体２側には、後述の図７のように、当該側面に、打抜いて形成する取付け孔１２ａ、１２ｂ及びスライドレール１４と装置本体２とを固定するためのネジ孔１１ｃを備える。取付け孔１２ａ、１２ｂには、装置背面側に切り欠き部１２ｃ、１２ｄが設けられている。なお、図示していないが、取付け孔２ａ、２ｂを設けた面と対向する面にも、左側の取付け孔１２ａ、１２ｂ及びネジ孔１１ｃと同様の取付け孔及びネジ孔が設けられている。
【００２９】
（動作）
以上の構成により実施例２のスライドレール構造は以下のように動作する。この動作、すなわち、スライドレール１４を装置本体２へ固定する手順を図７の動作説明図を用いて以下詳細に説明する。
【００３０】
まず、スライドレール１４を装置本体２に固定するために、矢印Ｂのようにスライドレール１４を装置本体２の中に移動させ、次に、矢印Ｃのように、Ｌ字曲げ部１４ａ、１４ｂを装置本体２に設けた取付け孔１２ａ、１２ｂに挿入し、矢印ＤのようにＬ字曲げ部１４ａ、１４ｂが取付け孔１２ａ、１２ｂの下端に当接するまで移動させながら、そのまま矢印Ｆのように移動させて、Ｌ字曲げ部１４ａ、１４ｂの切り欠き部１４ｃ、１４ｄを取付け孔１２ａ、１２ｂの切り欠き部１２ｃ、１２ｄに引っ掛けて仮固定する。
【００３１】
上述した動作によりスライドレール１４と装置本体２とを仮固定したとき、図示しないが実施例１同様、ネジ孔１１ａとネジ孔１１ｃとがそれぞれ重なる状態となる。この仮固定をした状態で、ネジ１１によりスライドレール１４と装置本体２とを固定する。これにより、装置背面側から見て左側のスライドレール１４と装置本体２との固定が完了となる。
【００３２】
続いて、装置背面側から見て右側のスライドレール１４と装置本体２とを固定するが、取り付けるための動作については、図７を用いて説明した動作と同様であるため、詳細な説明は省略する。
【００３３】
左右のスライドレール１４の固定が完了した後、図７に示すスライドレール１４の装置背面側のネジ孔１１ｂを用いて、スライドレール１４とユニット３をネジ１１にて固定する。
【００３４】
以上のように、Ｌ字曲げ部１４ａ、１４ｂを取付け孔１２ａ、１２ｂに挿入してそのまま押して引っ掛けるだけでスライドレール１４を装置本体２に仮固定ができるため、実施例１と同様、装置本体２内部に手や体を入れてスライドレール１４を保持する必要もなく、さらに、組立易く、スライドレール１４を落下させることもない。
【００３５】
なお、以上の実施例の説明では、スライドレール１４の装置背面側は、ネジ止めにて固定するように説明したが、装置前面側のＬ字曲げ部１４ａ、１４ｂとは反対側となる内側にＬ字曲げして形成したＬ字曲げ部を設け、ユニット３側にも取付け孔を設けて固定するようにしてもよいことは実施例１と同様である。また、Ｌ字曲げ部１４ａ、１４ｂは、打ち抜いて曲げ加工して形成するように説明したが、溶接等により溶着させるようにしてもよいことも実施例１と同様である。
【００３６】
また、実施例１同様、ネジ孔１１ａ及び１１ｃをスライドレール１４の中心線ＣＬに沿うように設けることとして説明したが、本発明はこれに限定されず、L字曲げ部１４ａ、１４ｂを取付け孔１２ａ、１２ｂに挿入して引っ掛け、スライドレール１４を仮固定した際に、スライドレール１４及び装置本体２に設けたネジ孔が重なる位置であればよいため、ネジ孔を設ける位置や個数は適宜変更してもよい。
また、スライドレール４を装置本体２に固定する手段としてネジ１１を用いることとしたが、ネジでなくともよく、スライドレール４を装置本体２に固定する手段は従来周知の技術を用いて行うものとすればよい。
【００３７】
（実施例２の効果）
以上のように実施例２のスライドレール構造によれば、スライドレールの装置本体側の一方側面に、Ｕ字型に打ち抜いてＬ字曲げ加工により形成した装置前面側に折りかけ部を備えたＬ字曲げ部を設け、前記装置本体の側面に前記Ｌ字曲げ部を挿入して引っ掛ける装置前面側に折りかけ部を備えた取付け孔を設けるようにしたので、実施例１の効果に加え、一方向にスライドレールを操作することで装置本体に仮固定でき、さらに、作業がし易く、スライドレールを落下させて毀損させるおそれもない。
【００３８】
また、一方向にスライドレールを操作することで取り付けられるようになっているので、スライドレールを一旦奥に入れる必要がなく、装置本体の奥行き寸法を小さくすることができる。
【００３９】
《その他の変形例》
以上の実施例の説明では、Ｌ字曲げ部４ａ、４ｂ、取付け孔２ａ、２ｂをそれぞれ２個ずつ設けるように説明したが、スライドレールの中心線ＣＬに沿うように設けられていればよいため、３個以上としてもよいし、１個としてもよい。
【００４０】
また、左右で同形状のスライドレールを用いるために、使用するスライドレールのL字曲げ部及びネジ孔の位置に合うように装置本体側やユニット側の取り付け孔、切り欠き部及びネジ孔等を予め設けるようにすれば、Ｌ字曲げ部、取り付け孔を必ずしもスライドレールの中心線ＣＬに沿うように設けなくともよい。
【００４１】
また、図８（ａ）及び（ｂ）に示すように、スライドレールの中心線ＣＬに沿って線対称となる位置にＬ字曲げ部、ネジ孔等を設けるようにしてもよい。
【００４２】
また、以上の実施例の説明では、Ｌ字曲げ部４ａ、４ｂ、１４ａ、１４ｂの詳細な形状については説明しなかったが、図９（ａ）の実施例１の変形例に示したように、スライドレール４を取り付けるときにＬ字曲げ部４ａ、４ｂを取付け孔２ａ、２ｂの切り欠き部２ｃ、２ｄに引っ掛ける切り欠き部４ｃ、４ｄの先端にテーパ部４ｔを設けるようにすれば、さらに、スライドレール４の取り付けを容易とすることができる。
【００４３】
同様に、図９（ｂ）の実施例２の変形例に示したように示したように、スライドレール１４を取り付けるときにＬ字曲げ部１４ａ、１４ｂを取付け孔１２ａ、１２ｂの切り欠き部１２ｃ、１２ｄに引っ掛ける切り欠き部１４ｃ、１４ｄの先端にテーパ部１４ｔを設けるようにすれば、さらに、スライドレール１４の取り付けを容易とすることができる。
【産業上の利用可能性】
【００４４】
以上述べたように、本発明は、スライドレールによりユニット等を引き出して保守する現金自動預払機等の自動取引装置に広く用いることができる。
【符号の説明】
【００４５】
２    装置本体
２ａ、２ｂ、１２ａ、１２ｂ  取付け孔
２ｃ、２ｄ、１２ｃ、１２ｄ  切り欠き部
３    ユニット
４、１４  スライドレール
４ａ、４ｂ、１４ａ、１４ｂ  Ｌ字曲げ部
４ｃ、４ｄ、１４ｃ、１４ｄ  切り欠き部
４ｔ、１４ｔ  テーパ部
１１  ネジ
【図１】
0005857457.tif 000002
【図２】
0005857457.tif 000003
【図３】
0005857457.tif 000004
【図４】
0005857457.tif 000005
【図５】
0005857457.tif 000006
【図６】
0005857457.tif 000007
【図７】
0005857457.tif 000008
【図８】
0005857457.tif 000009
【図９】
0005857457.tif 000010
【図１０】
0005857457.tif 000011
【図１１】
0005857457.tif 000012